(57)【特許請求の範囲】
【請求項１】
スタビライザー（１）の底部に上向きの突設片（２）を設けたつかみ手（Ａ）と、つかみ手（Ａ）の底部に下端側が揺動自由に連結されるとともに、少なくとも一部が可撓性を有する長手状をしている引き手（Ｂ）と、を有し、引き手（Ｂ）は、スタビライザー（１）の上部に設けた被係止部（１５）に対し、長手方向にスライド可能に係止されて構成されるとともに、突設片（２）と引き手（Ｂ）との間に上方側から配置した対象物が、この対象物が引き手（Ｂ）の下端側に引っ張られることにより引き手（Ｂ）に生じる張力により、突設片（２）と引き手（Ｂ）との間に挟持される、つかみ装置。
【請求項２】
つかみ手（Ａ）は、スタビライザー（１）の底部に、突設片（２）を上向きに突設したものとして、スタビライザー（１）は、突設片（２）の下端より上方へ伸びて突設片（２）よりもさらに上部に位置した上端側に被係止部（１５）を設けてあるものとして、引き手（Ｂ）は、少なくとも一部が可撓性を有する長手状を有していて、その下端側につかみ手（Ａ）の突設片（２）を含めた底部を取り付けて、かつ、引き手（Ｂ）の上方側に被係止部（１５）を引き手（Ｂ）がその長手方向にスライド可能に係止して構成されるとともに、突設片（２）と引き手（Ｂ）との間に上方側から配置した対象物が、この対象物が引き手（Ｂ）の下端側に引っ張られることにより引き手（Ｂ）に生じる張力により、突設片（２）と引き手（Ｂ）との間に挟持される、つかみ装置。
【請求項３】
つかみ手（Ａ）は、スタビライザー（１）の底部に、突設片（２）を上向きに突設したものとして、スタビライザー（１）は、突設片（２）の下端より上方へ伸びて突設片（２）よりもさらに上部に位置した上端側に被係止部（１５）を設けてあるものとして、つかみ手（Ａ）の突設片（２）を含めた底部にレバー（２８）の一端側を取り付けて上下に回動できるようにして、引き手（Ｂ）は、少なくとも一部が可撓性を有する長手状を有していて、その下端側にレバー（２８）の他端側を取り付けて、かつ、引き手（Ｂ）の上方側に被係止部（１５）を引き手（Ｂ）がその長手方向にスライド可能に係止して構成されるとともに、突設片（２）とレバー（２８）との間に上方側から配置した対象物が、この対象物が引き手（Ｂ）の下端側に引っ張られることにより引き手（Ｂ）に生じる張力により、突設片（２）とレバー（２８）との間に挟持される、つかみ装置。
【請求項４】
上記突設片（２）の一部が左右に回動できる、請求項１ないし３のいずれかに記載のつかみ装置。
【請求項５】
つかみ手（Ａ）はかぎ形をしている、請求項１なしい４のいずれかに記載のつかみ装置。
【請求項６】
被係止部（１５）が、穴、筒状のもの又は棒状のものである、請求項１ないし５のいずれかに記載のつかみ装置。
【請求項７】
棒状又は筒状の被係止部（１５）を、引き手（Ｂ）の上方側に設けられた、被係止部（１５）がちょうどはまる筒状又は棒状のものに係止している、請求項６に記載のつかみ装置。
【請求項８】
つかみ手（Ａ）は、断面が略Ｃ字状の上端側に筒状の被係止部（１５）を設けたかぎ形のものとして、筒状の被係止部（１５）を、引き手（Ｂ）の上方側に設けられた、被係止部（１５）がちょうどはまる筒状又は棒状のものに係止している、請求項１ないし４のいずれかに記載のつかみ装置。
【請求項９】
つかみ手（Ａ）側と引き手（Ｂ）側との間に弾性体（４５）を設けて、つかみ手（Ａ）を引き手（Ｂ）の上方側に付勢させた、請求項１ないし８のいずれかに記載のつかみ装置。
【請求項１０】
つかみ手（Ａ）側と引き手（Ｂ）側との間に弾性体（４５）を設け、その弾力を拘束かつ開放できるトリガー機構をつかみ手（Ａ）側又は引き手（Ｂ）側に設け、つかみ手（Ａ）を引き手（Ｂ）の下方側に付勢させるようにした、請求項９に記載のつかみ装置。
【請求項１１】
上下方向に延びるスタビライザー（１）の底部に上向きの突設片（２）を設けたつかみ手（Ａ）と、つかみ手（Ａ）の底部に下端側が連結されたロープ状の引き手（Ｂ）と、を有し、引き手（Ｂ）は、スタビライザー（１）の上部に設けた被係止部（１５）に対し、長手方向にスライド可能に係止されて構成されるとともに、引き手（Ｂ）の上端側において吊り下げて使用され、突設片（２）と引き手（Ｂ）との間に上方側から配置した対象物が、その自重により引き手（Ｂ）に生じる張力により、突設片（２）と引き手（Ｂ）との間に挟持される、つかみ装置。
【発明の詳細な説明】
【０００１】
【発明の属する技術分野】
本発明は、手さげ洗濯かごの細長い取っ手等を吊り下げたり、棒や線材等の細長いものを水平に吊りしたり、引き寄せたりするとき等に使用する手さげ洗濯かご等のつかみ装置に関するものである。
【０００２】
【従来の技術】
従来、洗ってすすいだ洗濯物は、細長い取っ手部分を設けた手さげ洗濯かごに入れ、地表やベランダの床等に直接置き、洗濯物を一つ一つ取り出して干し場に設けた物干し竿に干していた。そのため、洗濯物を一つ一つ取り出すたびに、毎回腰を曲げたり伸ばしたりしなくてはならず腰への負担も大きく能率も悪いものであった。また、手さげ洗濯かごは地表等に直接置かなければならなかった。そのため奇麗好きの女性にとって綺麗に洗った洗濯物が汚れはしないかという不安も常にあった。
【０００３】
そこで特開昭５６−１６３６９７号公報に見られるような洗濯篭支持具が開発された。すなわち大きい角パイプにちょうどはまる小さい角パイプを下方より差し込み上下にスライドできるようにしている。大きい角パイプ側に設けたねじにより締め付けたり緩めたりして小さい角パイプをスライドさせて全長を調整できるようにしている。太いパイプの上端には滑車を一体に設けて物干し竿上をスムーズに動けるようしている。そして、細いパイプの下端には手さげ洗濯かごの細長い取っ手を吊るすための二又に分かれたフックを細いパイプと一体に設けたものである。
【０００４】
このものは次のように使用する。まず、細長い取っ手を吊るしたとき、手さげ洗濯かごの高さが干す人にとって最適高さとなるように、ねじをゆるめ、大小の角パイプをスライド調整し、ねじを締め付け固定する。それから上部に設けた滑車を物干し竿に掛ける。そして下部に設けた二又に分かれたフックに手さげ洗濯かごの取っ手を掛ける。そして、竿上に洗濯篭支持具を移動させながら洗濯物を手さげ洗濯かごより取りだし干していく。
【０００５】
【発明が解決しようとする課題】
従来の洗濯篭支持具は、取っ手を吊り下げ洗濯物を入れた手さげ洗濯かごの重心が非常に低いことに着目し、下端の二又に分かれたフックの上に取っ手部分をただ乗せ掛けられるようにしただけの簡単な構造のものとしていた。そのため次のような欠点を持っていた。洗濯かごより洗濯物を取りだすとき、洗濯かごが揺れたとき、物干し中のちょっとした外力が働いたとき、上部に設けた滑車により竿上をひっぱり移動させるとき等において、二又に分かれたフックにただ乗せ掛けられた細長い取っ手は容易に滑ってずれて洗濯かごが傾いたり、さらには細長い取っ手が二又に分かれたフックの一方より浮き上がり外れたりした。それで洗濯物の一部が地表等に落下することもよくあって、再度洗濯をやりなおしたりすることもたびたびであった。吊り下げた手さげ洗濯かごの重心が低くても細長い取っ手は容易に滑ってしまった。
【０００６】
そこで、手さげ洗濯かごの細長い取っ手やさらには棒や線材等をも滑らないように吊るし、さらには吊るすことのみならず棒状のものやパイプ等をグリップして引き寄せたりするにはどのようにすればよいかと考えた。まず、取っ手が二又に分かれたフック上で滑る状況を繰返し観察してみた。そして、取っ手のような棒状のものを滑らないように吊るすには、外力により握りつかめるようなつかみ装置が必要であることがわかった。それで、本課題を解決するヒントを得るため、いろいろな既存のつかみ装置を購入し実験を試みた。しかし、それらは、いずれも板状のもの、例えばＨ形鋼材等やＵ字形の側溝等をそれらに掛る重力を利用し挟み吊るすもので構造も複雑で、１本又は他数本の丸棒や線材等を吊るしたりすには不適当であった。また、荷役作業等において棒状のもの等を吊るすときに、従来より行なわれているロープ等を棒状のものに回し掛け、一端に設けた蛇口に他端側を通して吊り上げ締め付けるやり方は簡単な構成で確実にグリップできるが、手さげ洗濯かごのように持ち歩き、しかも取っ手のような小さなものに利用するには甚だ面倒で非能率的である。
【０００７】
本発明が解決しようとする課題は、滑ることなく手さげ洗濯かごの細長い取っ手等を確実につかむことができ、さらには、水平に吊るしたときや引っかけて引き寄せたりしたときに、滑ることなく棒や線材等をも確実につかむことができ、しかも簡単な構成で簡単に掛け外しのできる手さげ洗濯かご等のつかみ装置を得ることを目的としている。
【０００８】
【発明を解決するための手段】
本発明においてそのような課題を解決したが、本発明に係る手さげ洗濯かご等のつかみ装置及び該装置に用いられるつかみ手は次のようなものである。まず、本発明に係るつかみ装置において、つかみ手Ａは細長いスタビライザー１の底部に突設片２を上向きに突設したものとして、引き手Ｂは、その下端側をつかみ手Ａの突設片２の下方側適部に連結しているものである。
【０００９】
このものにおいて、細長いスタビライザー１は板状、棒状、パイプ状等のものが使用でき、両端や一端に滑り止めのストッパー４を設けることもできる。突設片２においても板状、棒状等のものが使用できる。突設片２の形状はまっすぐなもの、断面逆Ｌ字状、断面Ｔ字状、吊るされものの形状に合わせたもの等とすることができる。二つの突設片２を設ける場合、スタビライザー１上の位置は中央寄り、両端より、一方が一端で他方が中央寄り、両端に位置するもの等とすることができ、細長いスタビライザー１に直角で同一面上に配列されてその配列面がスタビライザー１の中心軸上に位置するのが望ましい。突設片２はスタビライザー１と一体に形成してもよいし、溶接したりねじこんだり取り外し式等としてもよい。引き手Ｂはつかみ手Ａの突設片２に取り付けて洗濯かごの取っ手等を突設片２とでつかんで引くものであり、下端側には繊維ロープ以外に、ワイヤーロープ・ベルト・チエーン等を使うこともできるし、ロープ等の上方側に棒状や板状のものを連結したり滑車や掛止用のフック等や後で紹介する天びん棒１４等を設けたもの等とすることもできる。
【００１０】
引き手Ｂの下端側の突設片２への取り付け方は突設片２等にねじこんだねじの頭に設けたフックに取り付けたり、柔軟性のある針金や金属ロープ等を直接溶接して取り付けたりしてもよいし、突設片２に設けた穴・フック・くびれ等の引き手取り付部３に取り付けてもよい。この時、突設片２に設けた穴にロープ５等の端末を取り付けるばかりでなく、突設片２の所定の穴に通した一端を他所のスタビライザー１側に固定した取り付け方や、つかみ手Ａを中空状のものにしてロープ５の一端を引き手取り付部３の穴より差し込み、中空状の中を通して他方の引き手取り付部３の穴に通し出し、ロープ５の両端をつないでエンドレスの可動式とした取り付け方もできる。そして、引き手Ｂの取り付け位置は、洗濯かごの取っ手を握った手をスタビライザー１と取っ手で挟むことなく、引き手Ｂ側と突設片２側とで洗濯かごの取っ手をしっかりとグリップできる位置としている。引き手Ｂは１本のロープ等の両端を引き手取り付部３、３に取り付けて、竿等に通して使用することもできるし、ロープを掛止体等に設けた滑車に通して左右のロープに掛る張力を等しくすることもできる。２本のロープ等を別々にそれぞれの引き手取り付部３、３に取り付ける場合は後で紹介する実施例のような天びん棒１４を用いて両方のロープに掛る張力を等しくすることもできる。
【００１１】
または、次のような手さげ洗濯かご等つかみ装置としてもよい。すなわち、（一） つかみ手Ａは、スタビライザー１の底部に、ロープ等の引き手Ｂとで取っ手や棒等をつかむ突設片２を上向きに突設して、スタビライザー１は、突設片２の下端より取っ手や棒等を取り込む空間を設けて上方へ伸びて、突設片２よりもさらに上部に位置した上端側に、ロープ等の引き手Ｂ側に係止される被係止部１５を設けて、ロープ等の引き手Ｂは、その下端側につかみ手Ａの突設片２を含めた底部を取り付けて、引き手Ｂの上方側に被係止部１５を係止して、つかみ手Ａが倒れたりしないようにすると同時につかみ手Ａを引き手Ｂ側に上げ下げできるようにしたものとしてもよい。
【００１２】
（二） また、つかみ手Ａは、スタビライザー１の底部に、レバー２８とで取っ手や棒等をつかむ突設片２を上向きに突設して、スタビライザー１は、突設片２の下端より取っ手や棒等を取り込む空間を設けて上方へ伸びて、突設片２よりもさらに上部に位置した上端側に、ロープ等の引き手Ｂ側に係止される被係止部１５を設けて、そしてさらにつかみ手Ａの突設片２を含めた底部にレバー２８の一端側を取り付けて上下に回動できるようにして、ロープ等の引き手Ｂは、その下端側にレバー２８の他端側を取り付けて、引き手Ｂの上方側に被係止部１５を係止して、つかみ手Ａが倒れたりしないようにすると同時につかみ手Ａを引き手Ｂ側に上げ下げできるようにしたものとしてもよい。
【００１３】
（三） また、つかみ手Ａは、スタビライザー１の底部に、ロープ等の引き手Ｂとで取っ手や棒等をつかむ突設片２を上向きに突設したものとして、スタビライザー１は、突設片２の下端より取っ手や棒等を取り込む空間を設けて上方へ伸びて、突設片２よりもさらに上部に位置した上端側に、ロープ等の引き手Ｂ側に係止される被係止部１５を設けて、そしてさらにつかみ手Ａ自身の一端側を連結してその一端側を上下方向に対して左右に回動できるようにして、ロープ等の引き手Ｂは、その下端側につかみ手Ａの突設片２を含めた底部を取り付けて、引き手Ｂの上方側に被係止部１５を係止して、つかみ手Ａが倒れたりしないようにすると同時につかみ手Ａを引き手Ｂ側に上げ下げできるようにしたものとしてもよい。
【００１４】
（四） また、被係止部１５を備えた（一）、（二）、（三）の手さげ洗濯かご等つかみ装置のそれぞれにおいて、つかみ手Ａはかぎ形のものとして、被係止部１５を引き手Ｂの上端取り付け側に係止して、つかみ手Ａを引き手Ｂの上端取り付け側に上げ下げできるようにしたものとしてもよい。
【００１５】
（五） また、（一）、（二）、（三）のそれぞれにおいて、被係止部１５が、うがったり等した穴、閉じた筒、開口部をもつ筒又は棒状のものとしてもよい。
【００１６】
（六） また、（一）、（二）、（三）のそれぞれにおいて、つかみ手Ａはかぎ形のものとして、被係止部１５が、うがったり等した穴、閉じた筒、開口部をもつ筒又は棒状のものとしてもよい。
【００１７】
（七） また、（一）、（二）、（三）のそれぞれにおいて、上向きに設けた棒状又は筒状の被係止部１５を、引き手Ｂの上方側に設けて被係止部１５がちょうどはまる筒状又は棒状のものに係止して、つかみ手Ａを引き手Ｂ側に上げ下げできるようにしたものとしてもよい。
【００１８】
（八） また、（一）、（二）、（三）のそれぞれにおいて、つかみ手Ａはかぎ形のものとして、上向きに設けた棒状又は筒状の被係止部１５を、引き手Ｂの上方側に設けて被係止部１５がちょうどはまる筒状又は棒状のものに係止して、つかみ手Ａを引き手Ｂ側に上げ下げできるようにしたものとしてもよい。
【００１９】
（九） また、（一）、（二）、（三）のそれぞれにおいて、つかみ手Ａは、断面が略Ｃ字状の上端側に筒状の被係止部１５を上向きに設けたかぎ形のものとして、筒状の被係止部１５を、引き手Ｂの上方側に設けて被係止部１５がちょうどはまる筒状又は棒状のものに係止して、つかみ手Ａを引き手Ｂ側に上げ下げできるようにしたものとしてもよい。
【００２０】
さらに、上記の（一）〜（八）のものにおいて、つかみ手Ａ側と引き手Ｂ側との間にバネやゴムひも等の弾性体４５を設け、つかみ手Ａを引き手Ｂの上方側に付勢させたものとしてもよい。
【００２１】
そして、つかみ手Ａ側と引き手Ｂ側との間にバネやゴムひも等の弾性体４５を設け、その伸縮する弾力を拘束かつ開放できるトリガー機構をつかみ手Ａ側又は引き手Ｂ側に設けて、つかみ手Ａを引き手Ｂ側の下方側に付勢させるようにした（九）のもとしてもよい。
【００２２】
以上の被係止部１５を設けた手さげ洗濯かご等つかみ装置において、スタビライザー１は、突設片２とレバー２８又は突設片２と引き手Ｂとで手さげ洗濯かごの取っ手や線材等の細長いものをつかんだ時に、突設片２を転倒させず安定した位置を保させ突設片２とレバー２８又は突設片２と引き手Ｂとで細長いものを確実にグリップできるようにするものである。スタビライザー１はその底部において突設片２を一つ又は二つ以上設けることができて、その底部から棒状、板状等のものがまっすぐに一方向の上方へ伸びたり、曲線状に一方向へ、互いに反対方向へ又は多方向へと上方へ伸びたり、曲面状に一方向へ、互いに反対方向へ、又は多方向へと上方へ伸びたりして、突設片２との間に細長いものを取り込みつかむことができる十分な空間を設け、さらに突設片２よりも上部に位置した上端側において、引き手Ｂの上方側又は引き手Ｂの上端取り付け側に上げ下げ自在に係止される被係止部１５を設けてあるものであればよい。そして、その被係止部１５は、棒状、板状のつかみ手Ａの上端側そのものとしてもよいし、上端側に開けた穴としてもよいし、上端側に新たに設けた棒状のものや筒状のもの等としてもよい。
【００２３】
突設片２はスタビライザー１の底部に上向きに一つ又は二つ以上設けて引き手Ｂとで棒や線材等をグリップできる形状のものでなくてはならず、後で紹介する各実施例のようにまっすぐな板状のものをスタビライザー１の底部に直角に取り付けたり、板状・棒状等のものを逆Ｌ字状・Ｔ字状・つかまれるものの形状等にしてスタビライザー１の底部に取り付けたり、さらに板状のものの垂直部や水平部に切欠きを設けたもの等とすることができる。そして、突設片２をスタビライザー１の底部に設ける方法は、板状・棒状等のものを折り曲げて一端側を突設片２とし他方側をスタビライザー１としたもの、スタビライザー１と一体に形成したもの、スタビライザー１に溶接したもの、回動できるようにしたもの、可倒式にしたもの、取り外し式にしたもの等とすることできる。
【００２４】
以上のスタビライザー１と突設片２とからなるつかみ手Ａの形状は、後で紹介する各実施例にみられるかぎ形・枠状・筒状等にすることもできる。そして、幅の広い又は狭い板状体や棒状体を断面略Ｃ字形・略Ｊ字形等にしたかぎ形ものやそれらを背中合せに連結したもの、平行に１８０°違えて連結したもの又は横に二つ以上連結したかぎ形のもの。断面略Ｃ字形等の上部に細長い板、棒及び筒状のものを設けたかぎ形のものやそれらを横に二つ以上連結したかぎ形のもの。骨組み構造からなる以上のかぎ形のもの。中空の円柱体を二つに縦割りにしたものの外縁側に突設片２を設けたもの。底部において閉じていない円形や方形等の枠状体の両先端にそれぞれ突設片２を上方に向けて突設したもの。中空の球体等を２つ割にしたカップ状の外縁近くに突設片２を設けたものやそのものの突設片２の上方の外縁側にさらに上方に向けて細長い板、棒及び筒状のものを設けたもの等。スタビライザー１が閉じていない開いたつかみ手とすることができる。
【００２５】
または、板、棒からなる円形や方形等の閉じた枠状体の内側底部に突設片２を設けたものやそれらの上端側に筒状のものや棒状のものを一つ又は二つ以上設けたもの。板状又は骨組み状の筒体の内側底部に突設片２を設けたものやそれらの上端側に筒状のものや棒状のものを一つ又は二つ以上設けたもの。骨組み状等の中空体の内側底部に突設片２を設けたものやそれらの上端側に筒状のものや棒状のものを一つ又は二つ以上設けたもの等。スタビライザー１が閉じている閉じたつかみ手とすることもできる。そして以上のものにおいて、つかみ手Ａの突設片２を含めた底部にレバー２８を設けたもの、つかみ手Ａ自身の一部が連結されていて回動するも、つかみ手Ａの突設片２を含めた底部側に引き手Ｂであるロープ等の損傷防止用の溝１１８等を設けたもの等としてもよい。なお、この明細書でいうかぎ形とは、板や棒等の先の折れ曲がったもの。また、それに似た形状のもので、縦に配置したパイプ等に横から引っ掛けることができるものである。例えば、断面が略Ｃ字形や略Ｊ字形等のもの、それらを角度を付けて連結したものや横に二つ以上連結したのもの、そして以上のものの上端側に、一つ又は二つ以上の棒状や筒状の柄のようなものを設けたもの等の形状をさす。
【００２６】
引き手Ｂはつかみ手Ａにつけて引くものであり、１本のロープのみで構成することもできるし、１本のロープとパイプとで構成することもできる。掛止するフックを含めロープ等に滑車等を連結したもの、複数本のロープ等で一つのつかみ手Ａの上端側を係止する構成等とすることもできる。引き手Ｂの下端側には棒や線材等に対して密着性の良い柔軟な繊維ロープ、ワイヤーロープ、コード、帯状ベルト、チエーン、ローラーチエーン、柔軟性のある薄い板状のバネ材、ネット状のもの、レバー２８に連結できるリンク等が使用できる。つかみ手Ａの被係止部１５を係止する引き手Ｂの上方側には、下端側に使われるようなもの以外に、板状体、棒状体、筒状体、水平に回動する係止片１３等も使用できる。
【００２７】
引き手Ｂの下端側の取り付け方は、突設片２やスタビライザー１上において、ねじこんだねじの頭に設けたフックに取り付けたり、柔軟性のある鉄線やワイヤーロープ等を直接溶接して取り付けたりしてもよい。突設片２やスタビライザー１に設けた穴・フック・くびれ等の引き手取り付部３に取り付けてもよいし、突起状のものに穴を開けたりくびれを設けたりした引き手取り付部３に取り付けてもよい。この時、穴等にただロープ５等の端末を取り付ける方法だけではなく、突設部２等の所定の穴に通した一端を突設片２ではない他所のスタビライザー１に取り付けたものとしてもよいし、実施例８のように引き手Ｂの下端を引き手取り付け部３の穴に固定するのでなく、可動的に取り付ける方法でもよい。引き手Ｂの下端側の取り付け位置は、つかみ手Ａの突設片２の上下やつかみ手Ａの底の部分に取り付けることができる。棒や線材等をグリップするロープ等の数と突設片２との数は同数とするのが普通であるが、一つの突設片２に二本のロープ等としてもよいし、二つの突設片２に１本のロープ等としてもよい。つかみ手Ａを係止する引き手Ｂが二本の場合は、棒や線材等の上下の揺れに連動する滑車や天びん棒１４等を併用することもできる。また、２本以上の引き手Ｂとすることもできる。
【００２８】
引き手Ｂ又は引き手Ｂの上端取り付け側に、つかみ手Ａの被係止部１５を係止してつかみ手Ａを上げ下げできるようにするのは、つかみ手Ａの上端側を引き手Ｂ側又は引き手Ｂの上端取り付け側から外れないように止めて、つかみ手Ａの転倒を防止すると同時に、引き手Ｂの下端側にたるみをもたせ棒や線材等をつかんだりリリースできるようにするためである。被係止部１５を係止するところは、ロープ等の張力の作用する部分だけなく、引き手Ｂと一体となっている部分や連結された部分等の張力の作用しない部分とすることもできる。係止する方法は、例えば、つかみ手Ａの上端側において、開けた穴や線材等を丸めて取り付けた穴や筒状の被係止部１５に、引き手Ｂのロープ等やロープ等に連結された棒状、板状、筒状等のものを通したりするもの。つかみ手Ａの上端側に縦方向に設けたスリット状の穴に引き手Ｂ側に設けた突起状のものを外れないように通したもの。引き手Ｂの上方側に縦方向に設けたスリット状の穴につかみ手Ａ側に設けた突起状のものを外れないように通したもの。引き手Ｂ側に設けた筒状のもの、引き手Ｂ側に設けた突起片の穴、ロープに設けたループ等に、つかみ手Ａの上方先端側を上側や下側より通したり挿入したりしたものや筒状、棒状の被係止部１５を挿入したり通したりしたもの等。引き手Ｂの上端側を掛止した別体側に設けた穴等につかみ手Ａの上方先端側を下方から又は上方から挿入したり通したりしたもの等とすることができる。とにかく、つかみてＡが外れずに上げ下げできればよい。
【００２９】
レバー２８を取り付けるものにおいて、一端側をつかみ手Ａの突設片２を含めたつかみ手Ａの下端側に取り付けて、突設片２の真上方向に対して上下に回動できるようにしたレバー２８の他端側にはロープ等に代えて、ロッド等の剛体を取り付けることもできる。この場合ロッド等を回り継手により連結してつかみて手Ａを引き手Ｂ側に対して自由に回すことができるようにすることもできる。つかみ手Ａの下端側に設けた二つの突設片２の間の一つのレバー２８を設けることもできるし、一つの突設片２に二つのレバー２８を設けることもできる。そして、一つのつかみ手Ａに２つ以上のレバー２８を設けることもできる。
【００３０】
つかみ手Ａ自身の一端側を連結したものにおいては、突設片２も連結できるし、棒状又は筒状の被係止部も連結することができる。連結された一端側は突設片２の真上方向に対して左右に回動できればよい。すなわち、引き手Ｂとつかみ手Ａの突設片２とでグリップされた細長い棒等が上下の揺れたときに一緒に同方向に揺れるように達結された一端側であればよい。
【００３１】
弾性体４５を取り付けるものにおいて、弾性体４５にはばね・ゴムひも等が使用できる。つかみ手Ａ側と引き手Ｂ側との間又はつかみ手Ａ側と引き手Ｂの上端取り付け側との間に引きばね・押しばね・ゴムひも等を設け、つかみ手Ａを引き手Ｂの上方側に付勢させて引き手Ｂの下端側にあらかじめたるみを持たせておくことができる。また、つかみ手Ａ側と引き手Ｂ側との間に引きばね・押しばね・ゴムひも等を設けてつかみ手Ａを引き手Ｂの下方側に付勢させることもできる。取り付け方は、引き手Ｂ側とつかみ手Ａ側又は引き手Ｂの上端取り付け側とつかみ手Ａ側との間に直接引きばね・ゴムひも等を取り付け、つかみ手Ａ側を引き手Ｂの上方側に付勢させ吊り上げることもできるし。他にも例えば、つかみ手Ａの上方側に筒状のものを設け、その筒状のものにちょうどはまる棒状のものやその筒状の内側外側においてちょうどはまる筒状のものを引き手Ｂ側に設けてつかみ手Ａ側をスライド自在にして、筒状の中に引きバネ・ゴムひも等を設けたり棒状のものにコイルばね等を設けてつかみ手Ａを引き手Ｂの上方に付勢させたもの等とすることもできる。
【００３２】
つかみ手Ａを引き手Ｂの下方に付勢させて引き手Ｂを締め上げる場合は、スタビライザー１の上端側に筒状の被係止部を設けてあるつかみ手Ａにおいて、その筒状のものにちょうどはまる棒状のものやその筒状の内側外側にちょうどはまる筒状のものを引き手Ｂ側に設けてつかみ手Ａ側をスライド自在に係止し、その筒状のものの中には押しばね・引きバネ・ゴムひも等を設け、棒状のものには押しばね等を設け、引き手Ｂ側をつかみ手Ａ側に押し込んで十分に押しばねを縮め引きバネ・ゴムひもを伸ばしたときに、つかみ手Ａ側と引き手Ｂ側とを係止しかつリリースできるトリガー機構をつかみ手Ａ側または引き手Ｂ側に設けたものとすることができる。そして、引き手Ｂ側とつかみ手Ａ側が互いにスライドして重なりあう部分にトリガー機構を設ける場合は、空回りせずに前後のスライド方向のみに動かせる組み合わせが望ましい。
【００３３】
つぎに、本発明に係る手さげ洗濯かご等のつかみ装置に用いられるつかみ手は、（一） 細長いスタビライザー１の底部に突設片２、２を上向きに突設し、さらにその突設片２、２に引き手取り付け部３、３を設けたものである。
【００３４】
（二） また、スタビライザー１の底部に突設片２を上向きに突設したものとして、スタビライザー１は、突設片２の下端より上方へ伸びて突設片２よりもさらに上部に位置した上端側に被係止部１５を設けてあるものとして、以上のように構成されたものの突設片２を含めた底部に引き手取り付け部３を設けたものとしてもよい。
【００３５】
（三） また、スタビライザー１の底部に突設片２を上向きに突設したものとして、スタビライザー１は、突設片２の下端より上方へ伸びて突設片２よりもさらに上部に位置した上端側に被係止部１５を設けてあるものとして、以上のように構成されたもの自身の一端側を連結してその一端側を上下方向に対して左右に回動できるようにしたものとしてもよい。
【００３６】
（四） また、（二）のものと（三）のものとのそれぞれにおいて、形状が、かぎ形であるものとしてもよい。
【００３７】
（五） また、スタビライザー１の底部に突設片２を上向きに突設したものとして、スタビライザー１は、突設片２の下端より上方へ伸びて突設片２よりもさらに上部に位置した上端側に被係止部１５を設けてあるものとして、以上のように構成されたものの突設片２を含めた底部に、レバー２８を設けて上下に回動できるようにしたものとしてもよい。
【００３８】
（六） また、スタビライザー１の底部に突設片２を上向きに突設したものとして、スタビライザー１は、突設片２の下端より上方へ伸びて突設片２よりもさらに上部に位置した上端側に、被係止部１５を設けてあるものとして、以上のように構成されて形状をかぎ形としたものの突設片２を含めた底部に、レバー２８を設けて上下に回動できるようにしたものとしてもよい。
【００３９】
（七） さらに、（二）〜（六）のもののそれぞれにおいて、被係止部１５が、うがって設けられた穴であるものとしてもよい。
【００４０】
（八） そして、（二）〜（六）のもののそれぞれにおいて、被係止部１５が、上向きに設けられた棒状又は筒状のものであるものとしてもよい。以上のつかみ手Ａは、前記の本発明に係る引き手Ｂとよりなる手さげ洗濯かご等つかみ装置の構成部品であり、ロープ等の引き手Ｂと併用して使用するものである。
【００４１】
【作用】
請求項１に記載したつかみ装置は、次のように使用する。まず、引き手Ｂの上端側を物干し竿等に吊るし掛ける。そして洗濯かごの取っ手中央を持ち上げ、他方の手でつかみ手Ａを持ち上げ引き手Ｂ側に十分なたるみを持たす。つかみ手Ａを洗濯かごの取っ手下にくぐらせ、取っ手を握った手の両サイド部分を突設片２と引き手Ｂとの間ではさみ込み、同時にスタビライザー１の端側を取っ手の垂直部に当て両手を離す。この時、突設片２とロープ等の引き手Ｂの下端側との間に挟まれた取っ手は、洗濯物を入れた自重によりつかみ手Ａを回し倒そうとするが、取っ手の垂直部に当てたスタビライザー１によりブロックされる。そのため取っ手部分は洗濯物を入れた自重により突設片２と引き手Ｂの下端側との間でしっかりとつかみグリップされる。グリップ力は洗濯物を入れた重量があればあるほど大きくなる。外すときは、洗濯かごを持ち上げる。すると、つかみ手Ａは自然に簡単に外れる。
【００４２】
【００４３】
請求項２〜請求項１１に記載のものにおいて、吊り下げて使う場合は次のようにする。まず、かぎ形や円筒等のつかみＡの下端側に設けた突設片２やレバー２８に、引き手Ｂであるロープ等の下端側を取り付ける。そしてロープ等の上端側をつかみＡの上端側にうがった被係止部１５の穴等に通し、上端に設けた蛇口やフックを物干し竿等やクレーン等のフックに掛け吊るす。そしてつかみ手Ａを持ち上げたり、フックを下げ降ろしてつかみ手Ａを地上に降ろしたりして引き手Ｂの下側に十分なたるみをもたせる。つかみ手Ａの形状が、かぎ形のような開いたつかみ手であればスタビライザー１と突設片２またはレバー２８と突設片２との間に洗濯かごの取っ手や棒等を直接落とし込み手を離す。またはクレーン等で吊り上る。枠状、筒状、骨組み状の中空体等の閉じたつかみ手であれば、いったん内側に棒や線材等を差し込んでからスタビライザー１と突設片２またはレバー２８と突設片２との間に棒や線材等を落とし込み手を離す。またはクレーン等で吊り上る。密閉された中空体のつかみ手Ａであれば、あらかじめ内部に搬入した棒や線材等の細長いものを内部においてスタビライザー１と突設片２又はレバー２８と突設片２との間に落とし込み、クレーン等で吊り上げる。
【００４４】
この時、突設片２とロープ等の下端側またはレバー２８と突設片２との間に挟まれた取っ手や棒等は、洗濯物を入れた自重や棒等の自重によりつかみ手Ａを回し倒そうとするが、上方の張力の作用している引き手Ｂ側に係止されたスタビライザー１によりブロックされる。そのため、取っ手、棒や線材等は、自重やつかみ手Ａの自重により、突設片２とロープ等の下端側またはレバー２８と突設片２との間で自動的につかみグリップされる。グリップ力はの棒や線材等の重量があればある程大きくなる。また、つかみ手Ａ自身の一端側を連結してその一端側を上下方向に対して左右に回動できるようにしたものにおいては、グリップされた細長い洗濯かごの取っ手や線材等が上下に大きく揺れるようなことがあっても、連結された一端側も洗濯かごの取っ手や線材等と一緒に揺れ、取っ手や線材等と突設片２の密着性は変わらず安定してグリップされる。取っ手や線材等を外すときは、取っ手や棒等を持ち上げたり、クレーン等で吊り降ろしたりして、ロープ等にたるみを持たせたり、レバー２８を自由に回動できるようにしてから取り外す。また、つかみ手Ａ側と引き手Ｂ側との間に設けて、つかみ手Ａが弾性体４５により引き手Ｂの上方側に付勢されている場合は、引き手Ｂ側にはすでに十分なたるみができているので、棒や線材等を掛け外すときに、いちいちつかみ手Ａを持ち上げたりする必要がない。
【００４５】
つかみ手Ａの上端側の被係止部１５を引き手Ｂの上端取り付け側に係止した場合においても、吊り下げたつかみ手Ａを引き手Ｂの上端取り付け側に設けたウインチ等で地上に吊り降ろし、又は手で持ち上げたりして引き手Ｂの下端側を十分たるませた状態にする。そしてつかみ手Ａの形状がかぎ形のような開いたつかみ手であればスタビライザー１と突設片２又はレバー２８と突設片２との間に、洗濯かごの取っ手や線材等を直接落とし込み手を離す。またはウインチ等で吊り上げる。この時、突設片２とロープ等の下端側またはレバー２８と突設片２との間に挟まれた取っ手や棒等は、洗濯物を入れた自重や棒等の自重によりつかみ手Ａを回し倒そうとするが、上方の引き手Ｂの上端取り付け側に上げ下げ自在に係止されたスタビライザー１によりブロックされる。そのため取っ手や棒等は、自重やつかみ手Ａの自重により突設片２とロープ等の下端側またはレバー２８と突設片２との間で自動的につかみグリップされる。グリップ力は取っ手、棒、線材等の重量があればある程大きくなる。また、つかみ手Ａ自身の一端側を連結してその一端側を上下方向に対して左右に回動できるようにしたものにおいては、グリップされた細長い洗濯かごの取っ手や線材等が上下に大きく揺れるようなことがあっても、連結された一端側も洗濯かごの取っ手や線材等と一緒に揺れ、取っ手や線材等と突設片２の密着性は変わらず安定してグリップされる。取っ手や線材等を外すときは、取っ手や棒等を持ち上げたり、ウインチ等で地上等に降ろしたりしてロープ等にたるみを持たせたり、レバー２８を倒したりして自由に回動できるようにしてから取り外す。また、つかみ手Ａ側と引き手Ｂ側との間に設けて、つかみ手Ａが弾性体４５により引き手Ｂの上方側に付勢されている場合は、引き手Ｂ側にはすでに十分なたるみができているので、取っ手や線材等を掛け外すときにつかみ手Ａを、いちいち持ち上げたりする必要がない。
【００４６】
請求項７、８に記載のものにおいて、握って使用するものの場合は次のようにする。互いにはまりあって、つかみ手Ａをスライド自在に係止している筒状又は棒状の引き手Ｂ側を握り、逆さまにしてつかみ手Ａ側を引き手Ｂ側に落とし込み引き手Ｂにたるみをもたす。そして上方や斜め上方向にある棒やパイプ等をかぎ形のつかみ手Ａの先端側で引っ掛けて引き込んだり、上方にあるパイプ等に引っ掛かけてぶら下がったり、棒状の突起物等に閉じたつかみ手Ａを掛けてぶら下がったりする。この時、つかみ手Ａの一端側を上下方向に対して左右に回動できるものにおいては、パイプ等に直角でなく斜め方向から引っ掛け引き込んだり、ぶら下がってパイプ等の伸長方向に大きく揺れたりしても、連結されたつかみ手Ａの一端側も回動したり一緒に揺れたりしてパイプ等と突設片２との密着性は変わらず安定した状態でグリップする。グリップ力は引き手Ｂに働く張力が大きいほど強くなる。外す場合は、引き手Ｂ側にたるみを持たせてから取り外す。また、つかみ手Ａ側と引き手Ｂ側との間に設けて、つかみ手Ａが弾性体４５により引き手Ｂの上方側に付勢されている場合は、縦にしても横にしても引き手Ｂの下端側のロープ等には十分なたるみができ、レバー２８も自由に回動できる状態となっている。互いにはまりあって、つかみ手Ａ側をスライド自在に係止している筒状又は棒状の引き手Ｂ側を握り、水平方向や斜め上下方向にある棒やパイプ等をかぎ形のつかみ手Ａの先端側で引っ掛けて引き込んだり、上方にあるパイプ等に引っ掛かけてぶら下がったり、棒状の突起物等に閉じたつかみ手を掛けてぶら下がったりする。グリップ力は引き手Ｂに働く張力が大きいほど強くなる。外す場合は、ただ引くことをやめればよい。
【００４７】
請求項１０に記載したのものにおいては、次のように握って使用する。はめこんでスライドできる引き手Ｂ側をつかみ手Ａ側に押し込み、設けられた引きばね・ゴム紐を伸ばしたり押しばねを縮めたりしてさらに押し込み、引き手Ｂ側とつかみ手Ａ側の間に設けられたトリガー機構を介して、引き手Ｂ側をつかみ手Ａ側に自動的に又は手動により係止する。すると、引き手Ｂ側の下端側には十分なたるみができて、レバー２８も自由に回動できる状態となる。そして、つかみ手Ａの形状が、かぎ形であるので立てたパイプにも横から引っ掛けることができる。筒状のつかみ手Ａ側を握り持ち、グリップしようとする棒やパイプ等をつかみ手Ａの先端側で引っ掛けると同時にトリガーを引いたり押さえたりする。すると、引き手Ｂ側が弾性体４５の弾力によりつかみ手Ａ側より後方へ飛び出す。そして棒やパイプ等は突設片２とワイヤーロープ等との間やレバー２８と突設片２との間で弾性体４５の弾力により瞬時にして締め上げられしっかりとつかまれグリップされる。ロープ等を線材やパイプ等に回し掛けてしぼり込んだ状態が瞬時にして可能となる。引っ掛けた線材やパイプ等を強く手前に引き込み加速度が加わるときや、線材やパイプ等が重くてばね等の弾力以上の引きを必要とするときは、直接引き手Ｂ側を握り引っぱる。すると、ばね等の弾力以上の張力を引き手Ｂ側に付勢できる。外すときは引き手Ｂ側をつかみ手Ａ側に押し込み、引き手Ｂ側にたるみを持たせてから取り外す。
【００４８】
【００４９】
【発明の実施の形態】
発明の実施の形態を実施例に基づき図面を参照して説明する。
【実施例】
実施例１
実施例１を図１に基づいて説明する。つかみ手Ａは細長い棒状のスタビライザー１とその一端と中央寄りに上向きに突設片２、２を突設し、突設片２、２上に引き手取り付け部３、３である穴を突設片２、２の配列方向に設けている。そしてスタビライザー１の一端にはスタビライザー１の太さより大きなストッパー４を設けている。引き手Ｂは一本のロープ５で構成され、一端を引き手取り付け部３である穴に通して取り付け、他端側は上部に設けた滑車６に通し、もう一方の引き手取り付け部３である穴に通してさらにスタビライザー１側に巻きつけて端末をスタビライザー１に設けた穴７に止めている。滑車６は断面がコ字形で両サイドと上端に穴を設けた保持片８にピン９により取り付けられ、ロッド１０はその下端につばを設けて保持片８の上端に設けた穴に取り付けて保持片８と回り継手により連結され、ロッド１０の上端側を直角に折り曲げて物干し竿上を転動する滑車１１の回転軸とし、その回転軸の先端に滑車１１が竿より外れないようにガイド１２を設けている。
【００５０】
実施例１のものは、次のようにして使用する。滑車１１を物干し竿に掛ける。そしてスタビライザー１に巻きつけてあるロープ５の巻き数をかえ、本装置の全長を調整して、吊るした洗濯かごの高さが最適となるようにする。そして、洗濯物を入れた洗濯かごの取っ手中央を持ち上げ、他方の手で突設片２、２の間のスタビライザー１部を持ち上げロープ５にたるみ持たせ、つかみ手Ａを手さげ洗濯かごの取っ手下にくぐらせ、取っ手を握った手の両サイド部分を突設片２、２とロープ５、５との間ではさみこみ、同時にストッパー４側も取っ手の垂直部に当て両手を離す。この時、つかみ手Ａには洗濯物や洗濯かごの重量により回し倒そうとする回転モーメントが働くが取っ手の垂直部に当てたスタビライザー１によりブロックされ、取っ手部分はつかみ手Ａの突設片２、２と引き手Ｂのロープ５、５との間でグリップされる。ロープ５を取り付ける引き手取り付け部３、３である穴はスタビライザー１と十分な間隔を持って取り付けられているため、スタビライザー１と取っ手により手をはさむことはない。また、洗濯かごの取っ手を上下に揺するようなことがあっても、滑車９の作用によりつかみ手Ａも一緒に揺れてロープ５、５の張力は常に一定となり取っ手部分がつかみ手Ａより浮き上がることはない。またストッパー４の働きにより強く横引きしてもつかみ手Ａが取っ手部分より外れるようなこともない。外すときは、洗濯かごの取っ手を持ち上げるだけでよい。つかみ手Ａは自然に外れる。
【００５１】
実施例２
実施例２を図２に基づいて説明する。このものにおいては、突設片２、２は細長い棒状のスタビライザー１の中央寄りに手幅より広い間隔で突設されている。つかみ手Ａは細長い棒上の両端に少し太めのストッパー４、４を設けたスタビライザー１とそのスタビライザー１上において短い棒に細長い板の中央を取り付けたＴ字形の突設片２、２とから構成されている。そして突設片２、２の上端寄りに引き手取り付け部３、３である穴を突設片２、２の配列方向に設けている。引き手Ｂであるロープ５の一端は一方の引き手取り付け部３である穴に通して取り付け、他端側を上部に設けた中空パイプ状のより防止片１３の一端寄りの下側に設けた穴１４よりパイプ内に通してパイプの外に出し、反対側のパイプロより通して穴１４から出し、他方の引き手取り付け部３の穴に通して取り付けている。
【００５２】
実施例２のものは、次のように使用する。まず、ロープ５の上端側を物干し竿に通しかけ、洗濯物を入れた洗濯かごの取っ手中央を持ち上げ、他方の手では突設片２、２の間のスタビライザー１部を持ち上げロープ５にたるみ持たせ、つかみ手Ａを手さげ洗濯かごの取っ手下にくぐらせ、取っ手を握った手の両サイド部分を突設片２、２とロープ５、５との間ではさみこみ、同時にストッパー４部分も取っ手の両垂直部に当て両手を離す。この時、つかみ手Ａには洗濯物や洗濯かごの重さにより回し倒そうとする回転モーメントが働くが、取っ手の両垂直部に当てたスタビライザー１によりブロックされ、取っ手部分は突設片２、２とロープ５、５との間でグリップされる。ロープ５を取り付ける引き手取り付け部３、３である穴はスタビライザー１と十分な間隔を持って取り付けられているため、スタビライザー１と取っ手により手をはさむことはない。また、洗濯かごの取っ手を上下に揺するようなことがあっても、ロープ５は竿上を滑りつかみ手Ａも一緒に揺れ、ロープ５、５には同じ張力が作用し取っ手部分がつかみ手Ａより浮き上がることなくグリップされる。またストッパー４、４の働きにより強く横引きしてもつかみ手Ａが取っ手部分より外れるようなこともない。そして、中空パイプ状のより防止片１３の働きによりロープ５、５はよれることがない。外すときは、洗濯かごの取っ手を持ち上げるだけでよい。つかみ手Ａは自然に外れる。
【００５３】
実施例３
実施例３を図３に基づいて説明する。このもののつかみ手Ａは、細長い棒状のスタビライザー１の両端において短い棒状の突設片２、２を上向きに突設しており、突設片２、２には引き手取り付け部３、３である穴を突設片２、２の配列方向に設けている。引き手Ｂであるロープ５の一端を一方の引き手取り付け部３である穴に通して取り付け、他端を他方の引き手取り付け部３である穴に通して取り付けている。
【００５４】
実施例３のものは次のように使用する。まずロープ５を物干し竿に吊るし掛け、洗濯物を入れた洗濯かごの取っ手中央を持ち上げ、他方の手で突設片２、２の間のスタビライザー１を持ち上げロープ５にたるみ持たせ、つかみ手Ａを洗濯かごの取っ手部分に設けた突起棒の下をくぐらせ、突設片２、２とロープ５、５との間で取っ手をはさみこみ両手を離す。この時、つかみ手Ａには洗濯物や洗濯かごの重さにより回し倒そうとする回転モーメントが働くが洗濯かごの突設片側に当てたスタビライザー１によりブロックされ取っ手は、突設片２、２と引き手Ｂのロープ５、５の間でしっかりとグリップされる。ロープ５を取り付ける引き手取り付け部３、３である穴はスタビライザー１と十分な間隔を持って取り付けられているため、スタビライザー１と取っ手とにより手をはさまれることはない。洗濯かごの取っ手を上下に揺すってもロープ５は竿上を滑るためつかみ手Ａも一緒に揺れ、ロープ５、５には同じ張力が作用し取っ手部分がつかみ手Ａより浮き上がることなくグリップされる。また洗濯かごの取っ手側に設けた突起棒により左右に強く横引きしてもつかみ手Ａが取っ手部分より外れるようなこともない。外すときは、洗濯かごの取っ手を持ち上げるだけでよい。つかみ手Ａは自然に外れる。
【００５５】
実施例４
実施例４を図４に基づいて説明する。このもののつかみ手Ａは、実施例３における突設片２、２の両下端にさらに２つの板状のコ字形スタビライザー部を平行に設けて、その上端側に穴を設け引き手Ｂのロープ側に通しつかみ手Ａの転倒を防止している。そして形状はかぎ形としている。引き手Ｂであるロープ５、５にスタビライザー１の上方先端側に設けた被係止部１５、１５の穴を係止してつかみ手Ａを引き手Ｂ側に上げ下げできるようにしている。ロープ５、５の下端側を突設片２、２上において突設片２、２の配列方向に設けた引き手取り付け部３、３の穴に取り付け、ロープ５、５の上端側をスタビライザー１の上方先端側に設けた被係止部１５、１５の穴に通して、さらに上部の天びん棒１４の両端側に設けた穴１６、１６にそれぞれ取り付けている。そして吊り掛けたフック１８の下端に設けたリング１９に天びん棒１４の中央上端寄りに設けた穴１７が取り付けられている。
【００５６】
実施例４のものは次のように使用する。つかみ手Ａのサイド側を持ち上げてロープ５、５にたるみを持たせ、他方の手で洗濯かごの取っ手中央寄りを握り、取っ手中央部を突設片２、２とスタビライザー１との間に落とし込み手を離す。この時、つかみ手Ａには洗濯物を入れた洗濯かごの重量により回し倒そうとする回転モーメントが働くが、張力の作用する引き手Ｂ側に係止されたスタビライザー１の上方先端側に設けた被係止部１５、１５がブロックし、取っ手部分は洗濯もの、かご、つかみ手Ａ等の重さで突設片２、２とロープ５、５との間でグリップされて滑らない。また洗濯かごの取っ手が上下に大きく揺れるようなことがあっても、上下に揺動する天秤棒１４の働きにより洗濯かごの取っ手はつかみ手Ａの底部の両端の一方より浮き上がるようなことはなく、安定良く保持される。洗濯かごを外すときはつかみ手Ａを持ち上げ、ロープ５、５にたるみを持たせてから取り外す。
【００５７】
実施例５
実施例５を図５に基づいて説明する。このものは、実施例４における２つのコ字形の上部を一体化し上下を１枚の板で連結して握りやすくしたかぎ形のつかみ手Ａとしている。そして被係止部１５、１５の間隔は突設片２、２の間隔よりも狭くしている。逆Ｌ字形のはさみ部材の垂直部に設けた引き手取り付け部３の穴に引き手Ｂであるロープ５の一端をつかみ手Ａの内側より通して取り付けて他端側を被係止部１５の穴に通し、さらに一方の被係止部１５の穴に通して突設片２に設けた引き手取り付け部３の穴に内側より通して取り付けている。ロープ５の両端の引き手取り付け部３への取り付け方は、ロープ５の両端をつかみ手Ａの外側より内側に通して取り付けてもよい。
【００５８】
実施例５のものは次のように使用する。ロープ５を物干し竿に通し掛けて、つかみ手Ａのサイド側のスタビライザー１部を握りを持ち上げロープ５、５にたるみを持たせ、他方の手で洗濯かごの取っ手中央寄りを握り、取っ手中央部分を突設片２、２とスタビライザー１との間に落とし込み手を離す。この時、つかみ手Ａには洗濯物や洗濯かごの重量により回し倒そうとする回転モーメントが働くが、張力の作用する引き手Ｂ側に係止されたスタビライザー１の先端側に設けた被係止部１５、１５がブロックし、取っ手部分は洗濯もの、かご、つかみ手Ａ等の重量で突設片２、２とロープ５、５との間で確実にグリップされ滑らない。また洗濯かごの取っ手が上下に大きく揺れるようなことがあっても、ロープ５は竿上で滑り動き、洗濯カゴの取っ手はつかみ手Ａの底部の両端の一方より浮き上がることなくグリップされる。外すときはつかみ手Ａを持ち上げロープ５、５にたるみを持たせ取り外す。
【００５９】
実施例６
実施例６を図６に基づいて説明する。このものは実施例４のものをさらに握りやすくかつ洗濯かごの取っ手を掛けやすくしたかぎ形のつかみ手Ａとし、さらに引き手Ｂの長さを容易に調整できるようにしたものである。突設片２、２の水平部に設けた引き手取り付け部３、３の穴に、引き手Ｂである１本のロープ５の一端側を内側より通して取り付けて、他端側をスタビライザー１の上方先端側に設けた被係止部１５の穴に通し、上方に位置させた自在かぎ２０に設けた下側の穴２１の表側より裏側に通し、さらに上方に位置させた天びん棒１４に設けた穴１６の裏側より表側に通し、自在かぎ２０の上側の穴２１の表側より裏側に通し、反対側の上側の穴２１の裏側より表側に通し、天びん棒１４の穴１６の表側より裏側に通し、自在かぎ２０の下側穴２１の裏側より表側に通し、さらに被係止部１５の穴に通して突設片２の引き手取り付け部３の穴に内側より通して取り付けている。そして、物干し竿に掛けたフック１８の下端に設けたリング１９を天びん棒１４の中央に設けた穴１７に取り付けている。また、自在かぎ２０とスタビライザー１の上端側との間にはストッパー２２、２２をロープ５、５に設けている。
【００６０】
実施例６のものは次のよう使用する。まず、自在かぎ２０を手前に倒し水平にし、上下方向に上げ下げできるようにして自在かぎ２０を押し下げたり上げたりして全長を調整してから、自在かぎ２０を起こしもとの状態にすると自在かぎ２０が効き所定の長さに固定される。ストッパー１５、１５はつかみ手Ａを持ち上げた時にロープ５、５に必要十分なたるみを持たせるようにしている。つかみ手Ａの上端側を握り持ち上げロープ５、５にたるみを持たせ、他方の手で洗濯かごの取っ手中央を握り、取っ手中央部をつかみ手Ａの中央において突設片２、２とスタビライザー１との間に落とし込み手を離す。この時、つかみ手Ａには洗濯物や洗濯かごの重量により回し倒そうとする回転モーメントが働くが、張力の作用する引き手Ｂ側に係止されたスタビライザー１の先端側に設けた被係止部１５、１５がブロックし、取っ手部分は洗濯もの、かご、つかみ手Ａ等の重量で突設片２、２とロープ５、５との間でつかまれグリップされ滑らない。また洗濯かごの取っ手が上下に大きく揺れるようなことがあっても、天びん棒１４が連動して上下に揺れ、洗濯カゴの取っ手はつかみ手Ａの底部の両端の一方より浮き上がることなくグリップされる。外すときはつかみ手Ａを持ち上げロープ５、５にたるみを持たせ取り外す。
【００６１】
実施例７
実施例７を図７に基づいて説明する。実施例４、５、６は、突設片２が二つに被係止部１５が二つであったが、このものは突設片２が一つに被係止部は１５一つである。そして、手に収まる位の大きさのつかみ手Ａは板状で略Ｃ状のかぎ形である。スタビライザー１の下方先端側に直立した突設片２を設け、そこに設けた引き手取り付け部３の穴に、引き手Ｂである１本のロープ５の下端をつかみ手Ａの内側より通して取り付け、ロープ５の上端側はスタビライザー１の上方先端側に設けた被係止部１５である穴に通しつかみ手Ａを上げ下げに自在に引き手Ｂ側に係止し、さらに上部に設けた蛇口２３を物干し竿に通し掛けている。
【００６２】
図７に示したものは、次のように使用する。つかみ手Ａをつかんで持ち上げロープ５に十分なたるみをもたせ、他方の手で洗濯かごの取っ手の中央寄りを持ち、取っ手中央部をつかみ手Ａの内側のスタビライザー１と突設片２との間に落とし込み両手離す。この時、ロープ５と突設片２との間に位置する取っ手側はつかみ手Ａを矢印方向に回し倒そうとするが、張力の作用したロープ５側に係止されたスタビライザー１によりブロックされ、取ってはロープ５と突設片２との間でつかみグリップされる。そのグリップ力は洗濯かご、洗濯もの、つかみ手Ａ等の重さに比例する。そして外すときは、つかみ手Ａを持ち上げ、ロープ５を十分にたるませてから取り外す。
【００６３】
実施例８
実施例８を図８に基づいて説明する。引き手Ｂは１本のロープではなく、多種類で連結されたものとしている。そして全長を調整できるようにし、さらにロープ２３がよれないようにしている。つかみ手Ａは、わん曲したＬ形のアーム２９の下端側に、突設片２を設けその水平面上に引き手取り付け部３、３の穴を設けたコ字形片を取り付け、上端側に細長くて丸い筒状の被係止部１５を取り付けたかぎ形としている。スタビライザー１は、コ字形片底部とわん曲したＬ形のアーム２９とパイプ状の被係止部１５とよりなるものとしている。被係止部１５の上端側には細長い板状の係止片１３がちょうど入り込む長方形の穴２８を設けている。ロープ２３の一端側を一方の引き手取り付け部３の穴に外側から通し、穴２８から差しこんだ係止片１３の下端に設けた穴２７に通し、他方の引き手取り付け部３の穴の内側より通し出し、ロープ２３の両端をスリーブ３０に通してかしめている。係止片１３の上端側に設けた穴２７にはチエーン２５を取り付け、そしてチエーン２５はフック１８の下方側に設けたかぎ３２に掛けられている。
【００６４】
図８に示したものは次のように使用する。フック１８を物干し竿に掛け、かぎ３２にチエーン２５を掛けかえて全長調整をする。筒状の被係止部１５を握りつかみ手Ａを持ち上げる。この時、高く持ち上げすぎてもチエーン２５は穴２８を通れずロープ２３はたるみ過ぎることはない。そして他方の手で洗濯かごの取っ手中央寄りを持って、取っ手中央部をつかみ手Ａの内側のスタビライザー１と突設片２との間に落とし込み手を離す。すると取っ手はロープ２３、２３と突設片２との間でつかみはさまれ実施例７の１本のロープの場合よりさらに安定よくグリップされる。ロープ２３は被係止部１５の穴２８を係止片１３に通しているためよれることはない。そして外すときは、パイプ状の被係止部１５を持ち上げ、ロープ２３をたるませてから取り外す。
【００６５】
実施例９
実施例９を図９に基づいて説明する。このもののつかみ手Ａは、実施例７のつかみ手Ａを縦方向に長くして、回動する突設片２を設けたかぎ形としている。引き手Ｂは１本のロープでなくロープ２３と長いＬ形の掛け棒３７よりなり、全長調整もできてさらにつかみ手Ａが一定範囲で回動できるようにしている。つかみ手Ａの上方の先端側には被係止部１５である穴が設けられ、下方の先端側には断面形状が逆Ｌ形で上方の先端側には切欠き３６を設け引き手Ｂ方向に対して左右に回動する突設片２と固定された突設片２に水平方向のピン３５を通して連結した突設片２を形成している。水平面上の切欠き３６の近くには引き手取り付け部３である穴が設けられ、ロープ２３の下端側をつかみ手Ａの内側より引き手取り付け部３に通して取り付け、上端側を被係止部１５に通した掛け棒３７の下端側に設けた穴３８に通し裏側より穴３９から引き出しさらに掛け棒３７を一回ししてロープ２３の下をくぐらせている。
【００６６】
図９に示したものは次のように使用する。掛け棒３７のフックを物干し竿に掛け、上端側のロープ２３を穴に通しずらして全長を調整する。そして、つかみ手Ａの上方のサイド側を持ち上げロープ２３にたるみをもたせ、他方の手で洗濯かごの取っ手中央寄りを持ち、取っ手の中央をつかみ手Ａと連結した突設片２との間に落とし込み手を離す。すると取っ手はロープ２３と回動する突設片２との間でつかみグリップされる。物干し中に洗濯かごがの取っ手を上下に揺することがあっても回動する突設片２も連動して一緒に揺れ、洗濯かごの取っ手と突設片２は常に密着した状態を保つ。また洗濯かごを回してもＬ形の掛け棒３７の下方の先端側がつかみ手Ａに当たり、回り続けることはなく、適当に洗濯かごの向きを変えることができる。また切欠き３６を設けてあるためひも状の細い取っ手等もよくグリップする。
【００６７】
実施例１０
実施例１０を図１０に基づいて説明する。このものは、実施例７の引き手Ｂ側にレバー２８と回り継手を設けたものである。スタビライザー１の上方先端側には被係止部１５である穴を設け下方先端側には断面形状をへの字状とした突設片２を上向きに突設している。突設片２の下方外側にスリーブ４０を水平に設けて棒状体を方形に折り曲げた両端をスリーブ４０の中に納めレバー２８として、レバー２８の先端中央部には環状の引き手取り付け部３を設けている。ロッド４２の両端側にはリング４１、４１が設けられ下方のリング４１は引き手取り付け部３に取り付けられ、上方のリング４１は回転スリーブ４４に設けられた環状フック４３に取り付けられている。そして回転スリーブ４４は下端につばを設けた掛け棒４５の下方に回動自在に取り付けられ、その掛け棒４５は被係止部１５を係止して上端側で竿等に掛止されている。
【００６８】
図１０に示したものは次のように使用する。スタビライザー１のサイドを握り持ち上げてレバー２８をスタビライザー１側に倒し、他方の手で洗濯かごの取っ手中央寄りを持ち、取っ手の中央をレバー２８と突設片２との間に落とし込み手を離す。この時、レバー２８と突設片２との間に位置する取っ手はつかみ手Ａを矢印方向に回し倒そうとするが、張力の作用する掛け棒４５に係止されたスタビライザー１によりブロックされレバー２８と突設片２との間でしっかりとグリップされる。このとき取っ手はレバー２８によるてこの作用が加わりさらに強くグリップされる。また回り継手により洗濯カゴを水平方向に自由に回すことができる。外すときはスタビライザー１のサイドを握り持ち上げてレバー２８をスタビライザー１側に倒してから取り外す。
【００６９】
実施例１１
実施例１１を図１１に基づいて説明する。このものは実施例７における引き手側のよりを防止し、引き手取り付け部３を二ヵ所設け安定良く保持できるようにしている。つかみ手Ａのスタビライザー１の上方の先端側にはスリット状の被係止部１５を設け、さらに手前には親指当て用の小さなガイド穴４８を設けている。そしてスタビライザー１の下方の先端側には断面形状を逆Ｌ字状とし、上方側に引き手取り付け部３、３の穴を設けた突設片２を設けている。引き手取り付け部３である穴にロープ２３の一端側を引き手の内側より通し出して取り付け、他端側を被係止部１５のスリットにちょうどはまりこんだ細長い板状の係止片１３の下端側に設けた穴４５に外側より通して穴４６の内側より出し、他方の引き手取り付け部３の穴に引き手内側より通し出して取り付けている。そして係止片１３の上端側の穴４７にはチエーン２３を取り付けている。このものの使用方法は明らかであるから説明を省く。
【００７０】
実施例１２
実施例１２を図１２に基づいて説明する。このものは実施例９の場合よりも回動半径の小さい突設片２を設けている。引き手Ｂ側とつかみ手Ａ側の係止方法を筒状ものどうしによるものとし、つかみ手Ａは長い楕円パイプ状の被係止部１５を実施例７のようなつかみ手Ａの上端側に設けたかぎ形としている。そしてつかみ手Ａの下方の先端側に連結した突設片２を設け上側の一方を引き手Ｂ方向に対して左右に回動できるようにしている。回動する突設片２の一端側に切欠き３６を設け、他端中央には短い断面円形のロッド５１を設け、そのロッド５１を突設片２の厚みのある円形の穴５２に通してストッパー５０を取り付けている。引き手Ｂであるロープ５の下端側を引き手取り付け部３である穴につかみ手Ａの内側より通して取り付け、多端側を楕円パイプ状の被係止部１５の下方開口部より差し込み、被係止部１５のなかにはめこまれて上端にフック５４を設けた楕円パイプ状の係止片１３の下端開口部に通して、さらに係止片１３の上端側の穴５３より通し出し係止片１３を一回ししてロープ５の下側をくぐらせ、そしてロープ５の端にはストッパー５５を設けている。全長調整は楕円パイプに一回ししたロープ５を滑りずらして調整する。回動する突設片２の回動半径が小さいため、洗濯かごの取っ手の上下方向の揺れに対する追随性が優れている。そして引き手側Ｂとつかみ手Ａ側との係止方法は、ちょうどはまり込む楕円パイプどうしとしているためロープ５はよれない。他の使用方法は、実施例８と同じであるから説明を省く。
【００７１】
実施例１３
実施例１３を図１３に基づいて説明する。このもののつかみ手Ａは実施例７のようなつかみ手Ａの上方先端側にロッド６１を取り付けたかぎ形である。棒状の被係止部１５を引き手側に設けた筒状の係止片１３にはめこみ引き手Ｂ側に上げ下げ自在に係止し、引きばね４５を用いてつかみ手Ａを上方に付勢さている。またレバー２８をスタビライザー１の底部に取り付けている。そしてグリップされるものの形状にあわせた突設片２をスタビライザー１の下方先端側において上方側に設けて、その近くに取り付け片６０を設け水平方向のピン６１により棒状のレバー２８の下端側を取り付け引き手方向に対して上下に回動できるようにし、上端側には引き手取り付け部３である穴を設け、ロープ２３の下端側を取り付けロープ２３の上端側を筒状の係止片１３の下端側に設けた取り付け片６３に取り付けている。ストッパー６２を設けた断面方形の棒状の被係止部１５を少し大きい同じ断面形状の穴を設けた筒状の係止片１３の中にはめこみ上げ下げできるようにし、棒状の被係止部１５の上端側を係止片１３の上端側に設けたピン６５により取り付けたバネ４５で吊るし上げている。
【００７２】
図１３に示したものは次のように使用する。係止片１３の上端側に設けた環状のフック６６を吊り掛けて使う場合、つかみ手Ａはバネ４５で上方に付勢されているためつかみ手Ａを持ち上げる必要はない。洗濯かごの取っ手をつかみ手Ａ側に倒れているレバー２８と突設片２との間にただ落とし込むだけでよい。取っ手は、レバー２８のてこの作用でより強くグリップされる。また突設片２の形状が取っ手の形状と合致しているため密着性が良く安定良くグリップされる。そして外す時もつかみ手Ａをいちいち持ち上げる必要はない。取っ手を持ち上げれば取っ手はつかみ手より自然に外れる。また次のような使い方もできる。筒状の係止片１３を握り、斜め方向や下方にある滑りやすいパイプや線材等を容易にひっかけたり、たぐりよせたりすることができる。そして外す時は引くことをやめれば自然に外れる。また引く力が大きくなればなるほどグリップ力も大きくなる。
【００７３】
実施例１４
実施例１４を図１４に基づいて説明する。つかみ手Ａと引き手Ｂとの係止方法はパイプどうしによるものとし、引き手Ｂ側パイプを太めのものとしている。つかみ手Ａは実施例１２より筒状部分が短いかぎ形とし、突設片２の一端側の水平部に設けられた引き手取り付け部３である穴に引き手Ｂであるロープ５の下端側をつかみ手の内側より通して取り付け、ロープ５の上端側を楕円パイプ状の被係止部１５の下端側よりに差し込んで、被係止部１５に上方よりはめこんだ太めの楕円パイプ状の係止片１３の上端側にストッパー６７を介して取り付けている。図１４に示したものは次のように使用する。係止片１３に設けたフック６８を吊り掛けて使用する場合は、つかみ手Ａ側を持ち上げロープ５にたるみ持たせスタビライザー１側と突設片２との間に洗濯かごの取っ手を落とし込み手を離す。すると取っ手はロープ５と突設片２との間でしっかりとつかみグリップされる。そして外す時はつかみ手Ａを持ち上げてから取り外す。また楕円パイプ状の係止片１３を握って使用する場合、つかみ手Ａを上に向け、つかみ手を楕円パイプ状の係止片１３側に落としこみロープ５をたるませる。そしてパイプや取っ手等の細長い物にひっかけたり、たぐりよせたりして使用する。
【００７４】
実施例１５
実施例１５を図１５に基づいて説明する。このものは、押しばねを用いてつかみ手Ａを上方に付勢させている。そして竿等に掛止するためフック等は設けてなく引手側に係止片１３である長い柄を設けている。つかみ手Ａは、幅の狭い板を折り曲げて略Ｃ字形として上方先端側に方形の穴を開けた筒状の被係止部１５を設けたもので全体をかぎ形としている。突設片２に設けた引き手取り付け部３である穴にロープ２３の下端側をつかみ手Ａの内側より通して取り付け、上端側を係止片１３である長い柄の下端側に取り付けている。係止片１３である長い柄は棒状で上端側に握り部７４を設け、下端側に設けたストッパー７２、７０の間は断面形状を方形とし、筒状の被係止部１５をスライド自在に係止している。さらに押しばね４５を設けてつかみ手Ａを上方に付勢させている。図１５に示したものは次のように使用する。つかみ手Ａをいちいち持ち上げてロープ２にたるみをもたせる必要がない。係止片１３である長い柄の握り部７４を握り、水平方向や斜め上下方向にあるパイプや線材等にただひっかけて引くだけで自動的にグリップする。線材等を引き寄せたり、掛けたパイプ等に吊り下がったりして使用する。そして外すときは引くことを止めればよい。
【００７５】
実施例１６
実施例１６を図１６に基づいて説明する。このものは、実施例１３、１５のようにつかみ手Ａをばねを使って上方に付勢させるのではなく、下方に付勢できるように、ばねの弾力を拘束かつ開放できるレバー８０を用いたトリガー機構を設けている。つかみ手Ａは、略Ｃ字状の上端側に長いパイプを設けたかぎ形で、挟圧片２の全体にまるみを持たせている。そして、挟圧片２の一端側には切欠き３６を設け、引き手取り付け部３である穴に引き手Ｂであるロープ５の下端側をつかみ手Ａの内側より通して取り付け、ロープ５の上端側は断面が楕円パイプ状の被係止部１５の下端側より入れてピン７５の上に位置しているコイル状のバネ４５のコイルの中を通し、断面が楕円パイプ状の係止片１３の上端にストッパー８３を介して取り付けている。同じく、楕円パイプ状の係止片１３の上端には、係止片１３を握って引くときに滑り抜けないように係止片１３の回りにふくらんだ滑り止め８４が設けられている。楕円パイプ状の被係止部１５の上端側は、ちょうどはまる細めの楕円パイプ状の係止片１３が挿入され、楕円パイプ状の係止片１３とピン７５の間にコイル状のバネ４５が収まっている。楕円パイプ状の被係止部１５の上端側には支持片７９が設けられ、ピン７８を介してへの字形のレバー８０が取り付けられている。支持片７９のピン７５寄りにはストッパー７７を設け反対側にはコイル状のバネ８１がパイプ８６側に取り付けられている。レバー８０の先端側がパイプ状の被係止部１５に当たる部分に穴７６を設け、楕円パイプ状の係止片１３側に当接させている。そして、楕円パイプ状の係止片１３を楕円パイプ状の被係止部１５側にいっぱいに押し込んだときにレバー８０の先端側が入り込める穴８２を楕円パイプ状の係止片１３側に設けている。
【００７６】
図１６に示したものは次のように使用する。係止片１３をバネ４５の力に逆らってつかみ手Ａ側いっぱいに押し込む、するとバネ８１で係止片１３側に押されているレバー８０の先端側が穴８２に入り込む、しかしストッパー７７が働き深くは入りこまず、引き手Ｂ側がつかみ手Ａ側にレバー８０を介して係止され、ロープ５には十分なたるみができる。例えば、毒蛇をつかみ捕獲しようとする場合、パイプ状の被係止部１５の端を持ちつかみ手Ａの先端側を毒蛇にひっかけると同時にレバー８０を握れば、楕円パイプ状の係止片１３は楕円パイプ状の被係止部１５より飛び出して引き手Ｂのロープ５は瞬時にして毒ヘビを突設片２との間でつかみグリップする。グリップした毒蛇を手前に強く引き込むときや毒蛇の引きが大きい時は、伸びたばねが縮みグリップ力落ちないように、引き手Ｂ側の係止片１３を握りひっぱる。すると、ばねの弾力以上の張力が引き手Ｂ側のロープに掛りさらに強く突設片２との間で毒蛇をグリップする。外すときは楕円パイプ状の係止片１３を押し込み取り外す。毒蛇をループの中に通し入れてから締めあげるような必要はない。
【００７７】
実施例１７
実施例を図１７に基づいて説明する。このものは、略Ｃ字状のつかみ手Ａの上方先端側の細い板状の被係止部１５を引き手Ｂである掛け棒９０に設けた突起状の係止片１３の係止部の８９の穴に上部より下方へ縦方向に通している。そして、つかみ手Ａを引き手Ｂ側に自在に上げ下げできるようにしている。つかみ手Ａの形状は幅の狭い板を略Ｃ字状にしたかぎ形である。突設片２の上端側には切欠き３６を設け、引き手取り付け部３である穴に引き手Ｂであるロープ５の下端側をつかみ手Ａの内側より通して取り付け、上端側をフック９１を上部に設けた掛け棒９０の下端側の穴８８に取り付けている。掛け棒９０の下端側には突起状の係止片１３も設け、その係止片１３に設けた係止部８９の穴に、つかみ手Ａの上方先端側を上部より縦方向に差し込みその先端にストッパー８７を設けている。実施例１７のものは、つかみ手Ａを横に二つ以上連結して使用することもできる。このものの使い方は明らかであるから説明を省く。
【００７８】
実施例１８
実施例を図１８に基づき説明する。このものは、略Ｊ字形のかぎ形であるつかみ手Ａの上端側において長手方向に設けたスリット状の被係止部１５を引き手Ｂ側において水平方向に設けた係止片１３に通し、つかみ手Ａを上げ下げできるようにし係止している。つかみ手Ａの形状は幅の狭い板を略Ｊ字形のかぎ形として、上部にスリット状の被係止部１５を設けている。引き手Ｂである、ワイヤーロープ９７の下端はつかみ手Ａの下端側に溶接により取り付けて、上端側を係止片１３に設けた穴９６に取り付けている。つかみ手Ａのスリット状の被係止部１５は引き手Ｂ側の係止片１３に設けたストッパー９４、９５の間に係止され、つかみ手Ａを引き手Ｂ側に上げ下げできるようにしている。そして係止片１３は、ビス９７、９８により壁側に取り付けられている。このものの使い方は明らかであるから説明を省く。
【００７９】
実施例１９
実施例１９を図１９二基づいて説明する。このものは、引き手Ｂ側において上下方向に設けたスリット状の係止部８９に、略Ｃ字状のつかみ手Ａの上方先端側において水平方向に突出した被係止部１５を通し、つかみ手Ａを引き手Ｂ側に自在に上げ下げできるように係止している。つかみ手Ａの形状は幅の狭い板を略Ｃ字状にしたかぎ形としている。突設片２に設けた引き手取り付け部３である穴に引き手Ｂであるロープ２３の下端側をつかみ手Ａの内側より通して取り付け、上端側を環状フック１０１と一体となった掛止体１０２の下端に設けた穴１０３に取り付けている。そして、つかみ手Ａの上方先端側を直角に折り曲げた突起状の被係止部１５を、引き手Ｂである掛止体１０２の下端側において長手方向に設けたスリット状係止部８９に通し、通した先端には引き手Ｂ側のスリット幅より広い外れ防止用のストッパー９９を設けている。実施例１９のものも、つかみ手Ａを横に二つ以上連結して使用することもできる。このものの使い方は明らかであるから説明を省く。
【００８０】
実施例２０
実施例２０を図２０に基づいて説明する。つかみ手Ａは、その上方先端側にまっすぐな幅の狭い板状の被係止部１５をもつ略Ｊ字状のかぎ形である。その被係止部１５を、引き手Ｂ側に設けて水平方向に自在に回動する突起状の係止片１３側に下方より通して上げ下げ自在に係止している。そして、全長調整もできるようにしている。突設片２に設けた引き手取り付け部３である穴に引き手Ｂであるロープ２３の下端側をつかみ手Ａの内側より通して取り付け、上端側を掛け棒１０７の下端側に取り付けた突起状の係止片１３の取り付け片１０８の穴１０９に通して取り付けている。幅を狭くした板状のスタビライザー１の上端側は、突起状の係止片１３の先端側に設けてスタビライザー１の上端側がちょうどはまる方形の穴よりなる係止部８９に下方より通して係止されている。掛け棒１０７にちょうどはまる穴１０６を設けた係止片１３は、ストッパー１１１を設けた掛け棒１０７の下端において水平方向に自在に回動できるように取り付けられている。そのため吊るした洗濯カゴを水平方向に自由に回せてロープ２３もよれることはない。全長調整は、三つの穴１０９に通したロープ２３を通しずらして調整する。このものの使い方は明らかであるから説明を省く。
【００８１】
実施例２１
実施例２１を図２１に基づいて説明する。かぎ形のつかみ手Ａに、回動する挟圧片２が連結されて実施例９の回動する突設片２の切欠き３６をさらに大きくしたものとしている。実施例７と同じ形状としたつかみ手Ａの底部から側面にわたり幅広で深さのある溝１１８を設け、つかみ手Ａの底部に落とし込む棒や線材等によるチエーン２３の損傷を防止している。回動する突設片２はその下端側に突設したロッド１１５を固定された突設片２の垂直部に設けた穴１１４に通して取り付けられている。引き手Ｂであるチエーン２３は下端に設けたリング１１６を引き手取り付け部３の穴に取り付け、上端側を被係止部１５の穴に通し、環状フック１１７にリング１１６により取り付けられている。
【００８２】
図２１に示したものは次のように使用する。実施例２１のものを２つ用意し、クレーンのフックに環状リング１１７を掛け吊るす。クレーンのフックを吊ろうとする線材等の真下の誘導する。そしてフックを降ろしチエーン２３を十分にたるませ、適当な間隔に２つの本装置を配置して突設片２とスタビライザー１との間に長尺ものの線材を人力により落とし込みクレーンを吊り上げる。すると線材は、線材及び本装置等の重量によりチエーン２３と回動する突設片２との間に自動的につかみグリップされて吊り上げられる。この時、チエーン２３は吊り角度をもつためつかみ手Ａは斜め方向を向くが、回動する突設片２は回動して水平方向を保つ。そのため線材と回動する突設片２との密着性が変わらず安定良くグリップされる。外す時は高さのある枕木等の上に吊り降ろせば本装置は自動的に外れる。
【００８３】
実施例２２
実施例２２を図２２に基づいて説明する。このものは、骨組み状のかぎ形とし、引き手取り付け部３はスタビライザー１上に突設され、突設片２もスタビライザー１上に取り付けられている。引き手Ｂであるワイヤーロープ１２４、１２４の下端側をスタビライザー１上に突設された引き手取り付け部３、３の穴に取り付け、上端側をスタビライザー１の上方先端側に設けた被係止部１５、１５の穴に通し、上部のより防止片１２５に設けた両端の外側の穴１２１、１２１に取り付けている。より防止片１２５の両端側に設けたフック１１９、１１９には、二本のワイヤーロープ１２４、１２４のそれぞれの下端を取り付け、上端側はクレーンのフックに掛けた環状のフック１２３にそれぞれ取り付けている。そし弾性体４５である２本のゴムひもの両端を、より防止片１２５の穴１２１、１２１とつかみ手Ａ側のフック１２０、１２０に取り付けている。
【００８４】
図２２に示したものは、次のように使用する。例えば、作業現場において資材用線材を要所に配置するとき、まず地上に置いた本装置をクレーンで吊り上げる。弾性体４５、４のゴムひもによってつかみ手Ａは吊り下げられることになり、ワイヤーロープ１２４、１２４に適度なたるみができる。そしてクレーンを誘導し、十分な高さの枕木上に配置されている資材用線材がつかみ手Ａの内側において挟圧片２、２とスタビライザー１との間に位置するようにする。そして、吊り上げる。すると線材は、自動的にワイヤーロープ１２４、１２４と突設片２、２との間でしっかりとグリップされて外れない。そして、クレーンを旋回させて足場等に本装置を吊り降ろしてワイヤーロープ１２４、１２４を十分にたるませて、必要数を本装置より降ろしたらまた吊り上げて線材を自動的にグリップして次々と用所に配置していく。面倒なワイヤーロープの掛け外し作業は必要ない。
【００８５】
実施例２３
実施例２３を図２３に基づいて説明する。つかみ手Ａの形状は実施例２０に見られるものと同じかぎ形で上方の被係止部１５である先端側は細くなっている。スタビライザー１の上端側のまっすぐな被係止部１５は、引き手Ｂにではなくて引き手Ｂの先端取り付け側に係止されている。すなわち、引き手Ｂのロープ５を掛止した物干し竿側に設けた穴に下方より通して上げ下げ自在に係止されている。つかみ手Ａの下方の先端側に設けた突設片２の引き手取り付け部３の穴に引き手Ａであるロープ５の下端側をつかみ手Ａの内側より通して取り付け、上端側に設けた蛇口を物干し竿に通している。つかみ手Ａの上方先端側は物干し竿側に設けた穴に下方より通して上げ下げ自在に引き手Ｂの先端取り付け側に係止されている。使い方は明らかであるから説明は省く。
【００８６】
実施例２４
実施例２４図２４に基づいて説明する。このものの突設片２、２の配列方向はスタビライザー１のふくれ方向と一致している。断面コ字形のスタビライザー１の底部に突設片２、２を設け、引き手Ｂである１本のロープ５の両端側をつかみ手Ａの上方先端側において突設片２、２の配列方向に設けた被係止部１５、１５に通して、突設片２、２にの配列方向に設けた引き手取り付け部１３、１３の穴にそれぞれ通している。細長い線材等を突設片２、２の配列方向の両サイドから掛けてグリップすることができる。使い方は明らかであるから説明は省く。
【００８７】
実施例２５
実施例２５を図２５に基づいて説明する。このものは、つかみ手のふくれ方向において閉じたつかみ手Ａとなっておりスタビライザー１は枠状体である。スタビライザー１の下端中央に、２枚の板をＴ字型に取り付け一方の上面側に切欠き３６、３６を設け他方の上端近くには引き手取り付け部３の穴を設けた突設片２を取り付けている。引き手Ｂであるロープ５の下端側を引き手取り付け部３の穴に取り付け他端側をスタビライザー１の上方に設けた被係止部１５に通して上下方向にスライド自在に係止している。枠体状のスタビライザー１に差し込んだ棒や線材等を引き手Ｂの両側のどちらでもグリップできる。またまたレバー２８や弾性体４５も設けることができるし、つかみ手Ａの一端側を連結したものとすることもできる。使い方は明らかであるから説明は省く。
【００８８】
実施例２６
実施例２６を図２６に基づいて説明する。実施例２５と同じくつかみ手のふくれ方向において閉じたつかみ手Ａとなっておりスタビライザー１は円形の筒状体である。円筒のスタビライザー１の内側下方の両端側に突設片２、２を設け、その下方側に突設片２、２の配列方向に設けた引きて手取り付け部３、３である穴に引き手であるロープ５、５の下端側を取り付け、上端側をスタビライザー１の上端側に設けた被係止部１５、１５にそれぞれ通して上げ下げ自在に係止して上方の環状リング１２３にそれぞれ取り付けている。またロープ１５、１５の下端はスタビライザー１に直接取り付けることもできる。またレバー２８、弾性体４５も設けることができるし、方形等の安定の良い筒状体とすれば実施例２２のような使い方もできる。
【００８９】
実施例２７
実施例２７を図２７に基づいて説明する。このものは、実施例２５における枠状体のつかみ手Ａの上端側に円形パイプ状の被係止部１５を設け、つかみ手Ａと引き手Ｂの間にばねを設けつかみ手Ａをひき手Ｂの上方に付勢させ、スタビライザー１の一端側を連結している。方形の枠状体を上下に二つに分割して下部のものの幅を少し大きくしたものの両上端側には穴１３０、１３０設け、上部のものの両下端側には穴１３０にちょうどはまる突起１２６、１２６を外側に向けて設け、そして両方を連結している。その連結した枠状体の上端中央側には穴を開けてその穴と同じくらいの大きさの円形パイプ状の被係止部１５を上方に向けて取り付け、縦長のスリット１２７をその円形パイプ状の被係止部１５の両側の上端側にかけて設け、スタビライザー１としている。下方の一方の回動するスタビライザー１の下端中央に突設片２を設け、その突設片２には実施例２５と同じ形状の挟圧片２にさらに縦方向に切欠き３６を設けその切欠き３６の下端のすぐ下に引き手Ｂの下端側を取り付ける引き手取り付け部３である穴を設けている。そして、円形パイプ状の被係止部１５より少し太めで引き手Ｂ側である円形パイプ状の係止片１３の上端にはフック６８を設け、上端側にはピン６５を設け、下端側にはピン１２８を取り付ける穴を両側に設けている。ピン６５に弾性体４５であるコイルばねの上端側を取り付け、コイルばねの下端側を係止片１３の下端側の両側に設けた穴とスリット１２７とに一緒に通したピン１２８に取り付け、つかみ手Ａを引き手Ｂの上方側に付勢させている。そして引き手Ｂのワイヤーロープ１２４の上端側もピン１２８側に取り付け、ワイヤーロープ１２４の下端側を十分なたるみを持たせた状態で突設片２の下端側に設けた引き手取り付け部３である穴に取り付けている。
【００９０】
実施例２７は次のように使用する。上端に設けたフック６８をクレーン等に吊り掛けて使用する場合、弾性体４５によりつかみ手Ａは上方に吊り上げられて引き手Ｂの下端側には十分なたるみができているため、つかみ手Ａを持ち上げる必要がない。引き手側の円形パイプ状の係止片１３を握り、棒や線材等をつかみ手Ａの内側に差し込みつかみ手Ａと突設片２との間に落とし込み手を離すだけでよい。すると自動的に線材等はみずからの重さやつかみ手Ａの重さでワイヤーロープ１２４と突設片２との間でしっかりとつかみグリップされる。グリップ力は棒や線材等が重いほど強くなる。縦方向に切欠きが設けられているので、突設片２の両サイドでグリップできる。そして棒や線材等が上下に大きく揺れてもスタビライザー１も一緒に揺れるので、棒や線材等と突設片２との密着性は変わらず安定した保持力が得られる。棒や線材等を取り外すときは、棒や線材等をただ持ち上げればグリップ力は自然に開放されるのでつかみ手Ａの内側よりとりだす。また円形パイプ状の係止片１３を握って使用する場合は、例えば、棒や線材等をつかみ手Ａの内側に差し込みつかみ手Ａと突設片２との間に落とし込み持ち運んだり、上方にある棒状の突起物に掛けてぶら下がったりする。弾性体４５のはたらきにより引き手Ｂ側にたるみをもたす必要がない。外すときは、ぶら下がることをやめたり、棒や線材等を持ち上げたりして、引き手Ｂ側に掛る張力をなくすれば自然に外れる。
【００９１】
【発明の効果】
請求項１に記載のつかみ装置においては、吊り下げた手さげ洗濯かごの細長い取っ手等の対象物を確実につかむことができ、滑ることはない。さらに、重力を利用した簡単な作りで、洗濯かご等の自重に比例してより強くつかむことができ、しかも簡単に掛け外しができる。請求項２〜請求項１１に記載したつかみ装置において、手さげ洗濯かごの細長い取っ手等の対象物を確実につかむことができ、滑ることはない。また、棒や線材等を水平に吊るしたり引っかけて引き寄せたりしたときに、確実につかむことができ、棒や線材等は滑ることはない。さらに、重力やひっぱる力を利用した簡単な作りで、手さげ洗濯かご等や線材等の自重やひっぱる力に比例してより強くつかむことができ、しかも簡単に掛け外しができる。請求項３に記載したものは、てこの作用が加わりさらに強くつかむことができる。請求項４に記載したものは、吊るされた棒や線材等が上下方向に大きく揺れたり、物干し竿等に吊るした本装置が竿等の伸長方向に大きく揺れたりしても、つかみ手の一端側も一緒に揺動して棒や線材等と突設片２及び物干し竿等と突設片２との密着性は変わらず常に安定良くつかみグリップすることができる。請求項５に記載したものは、閉じていないかぎ形なので簡単に掛け外しでき、縦方向のパイプ等に横から引っ掛けたりすることもできる。請求項７、８に記載したものは、本体を握って使用でき、水平方向や上下方向等にある棒やパイプ等をつかむことができる。また、吊るして使用することもできる。請求項９に記載したものは、弾性体４５の作用により引き手Ｂ側に十分なたるみができているので、引き手Ｂ側にいちいちたるみをもたす必要がない。外すときも引き手Ｂ側にいちいちたるみをもたす必要がない。従って、掛け外しは実に簡単である。請求項１０に記載したものは、握り持って棒やパイプ等を引っ掛けると同時にトリガーを引いたり押したりするだけで、張力は自動的に瞬時にかかり締め上げることができる。吊り下げたり引っぱったりして張力を掛ける必要がない。従って、操作は極めて簡単である。そして、引き手Ｂ側をひっぱって張力を更に付加することもできる。
【図面の簡単な説明】
【図１】実施例１を示す正面図である。
【図２】実施例２を示す斜視図である。
【図３】実施例３を示す正面図である。
【図４】実施例４を示す斜視図である。
【図５】実施例５を示す斜視図である。
【図６】実施例６を示す斜視図である。
【図７】実施例７を示す斜視図である。
【図８】実施例８を示す斜視図である。
【図９】実施例９を示す斜視図である。
【図１０】実施例１０を示す斜視図である。
【図１１】実施例１１を示す斜視図である。
【図１２】実施例１２を示す正面図である。
【図１３】実施例１３を示す正面図である。
【図１４】実施例１４を示す正面図である。
【図１５】実施例１５を示す正面図である。
【図１６】実施例１６を示す部分断直正面図である。
【図１７】実施例１７を示す正面図である。
【図１８】実施例１８を示す正面図である。
【図１９】実施例１９を示す正面図である。
【図２０】実施例２０を示す正面図である。
【図２１】実施例２１を示す斜視図である。
【図２２】実施例２２を示す斜視図である。
【図２３】実施例２３を示す正面図である。
【図２４】実施例２４を示す斜視図である。
【図２５】実施例２５を示す斜視図である。
【図２６】実施例２６を示す斜視図である。
【図２７】実施例２７を示す正面図である。
【符号の説明】
Ａ つかみ手
Ｂ 引き手
１ スタビライザー
２ 突設片
３ 引き手取り付け部
１３ 係止片
１５ 被係止部
２８ レバー
４５ 弾性体
【図１】
0004384382.tif 000002
【図２】
0004384382.tif 000003
【図３】
0004384382.tif 000004
【図４】
0004384382.tif 000005
【図５】
0004384382.tif 000006
【図６】
0004384382.tif 000007
【図７】
0004384382.tif 000008
【図８】
0004384382.tif 000009
【図９】
0004384382.tif 000010
【図１０】
0004384382.tif 000011
【図１１】
0004384382.tif 000012
【図１２】
0004384382.tif 000013
【図１３】
0004384382.tif 000014
【図１４】
0004384382.tif 000015
【図１５】
0004384382.tif 000016
【図１６】
0004384382.tif 000017
【図１７】
0004384382.tif 000018
【図１８】
0004384382.tif 000019
【図１９】
0004384382.tif 000020
【図２０】
0004384382.tif 000021
【図２１】
0004384382.tif 000022
【図２２】
0004384382.tif 000023
【図２３】
0004384382.tif 000024
【図２４】
0004384382.tif 000025
【図２５】
0004384382.tif 000026
【図２６】
0004384382.tif 000027
【図２７】
0004384382.tif 000028